(57)【要約】【課題】記録ディスク媒体の原盤パターン露光のための露光システムのコストを抑制する。【解決手段】原盤に電子線を照射してディスク状記録媒体の原盤パターンを描画する露光装置とその制御装置を含む露光システムにおいて、原盤パターンを描画するための描画データ信号が、複数の波形パターンの組合せからなるものであるとき、制御装置５０に、複数の波形パターンのうち互いに異なる波形パターンを個々の波形データ列として記憶する波形データ記憶部５１、５２と、互いに異なる波形パターンを示す波形データ列により描画データ信号を構成するための波形データ列の出力順序を記憶する出力順記憶部５３、５４とを個別に備え、さらに、波形データ列を出力順序に従って順次、露光装置に送出するデータ処理部５６を備える。【選択図】図１
2013080544.tif 000002
【特許請求の範囲】
【請求項１】
回転ステージ上に載置されたディスク状記録媒体用の原盤を前記回転ステージを回転させることにより回転させつつ、該原盤に露光光を照射して前記ディスク状記録媒体の原盤パターンを描画露光する露光装置と、
該露光装置に前記原盤パターンに応じた、複数の波形パターンの組合せから構成される描画データ信号を送出し、該露光装置による描画動作を制御する制御装置とを備え、
前記制御装置が、前記複数の波形パターンのうち互いに異なる波形パターンを個々の波形データ列として記憶する波形データ記憶部と、前記互いに異なる波形パターンを示す波形データ列により前記描画データ信号を構成するための該波形データ列の出力順序を記憶する出力順記憶部とを個別に備え、さらに、前記波形データ記憶部に記憶されている前記互いに異なる波形データ列を、前記出力順記憶部に記憶されている前記出力順序に従って順次、前記露光装置に送出するデータ処理部を備えていることを特徴とする露光システム。
【請求項２】
前記露光装置の前記回転ステージにロータリエンコーダが備えられており、
前記制御装置が、前記描画データ信号の出力タイミングを示すインデックス信号を前記回転ステージの回転により生じるエンコーダ信号に基づいて生成するインデック信号生成部を備え、
前記出力データ記憶部が、前記出力順データ列として、前記原盤の各半径位置の周方向の所定領域毎に、先頭にインデックスが付与された該領域に含まれる波形データの出力順を示すデータ列を、該各所定領域の配列順に記憶するものであり、
前記データ処理部が、前記所定領域毎に、前記描画データ信号として、前記インデックス信号による出力タイミングで、前記インデックスが付与された前記所定領域毎の出力順を示すデータ列に応じた順序で前記波形データを出力するものであることを特徴とする請求項１記載の露光システム。
【請求項３】
前記波形データ記憶部が、前記異なる波形パターン毎の波形データ列に、該異なる波形パターンにそれぞれ付与された識別符号を組み合わせて記憶するものであり、
前記出力順記憶部が、前記出力順序を、前記識別符号を出力すべき順序で時系列に配列した出力順データ列として記憶するものであることを特徴とする請求項１または２記載の露光システム。
【請求項４】
前記描画データ信号が、特定の波形パターンが連続して繰り返される同一パターン繰返し構成部を含むものであり、
前記出力順記録部が、前記同一パターン繰返し構成部について、該特定の波形パターンに付与されている識別符号と、その繰り返し回数とを記憶するものであることを特徴とする請求項３記載の露光システム。
【請求項５】
前記描画データ信号が、第１の波形パターンに必ず第２の波形パターンが後続する複数パターン繰返し構成部を有するものであり、
前記波形記憶部が、前記第１の波形パターンを示す波形データ列に、後続する前記第２の波形データに付与されている識別符号を併せて記憶するものであり、
前記出力順記憶部は、前記複数パターン繰返し構成部について、前記第１の波形パターンの識別符号のみを記憶するものであることを特徴とする請求項３記載の露光システム。
【請求項６】
前記描画データ信号が、前記露光光の偏向信号と、照射のオン・オフ信号とを含み、
前記波形パターンは、同時に出力される前記偏向信号および前記オン・オフ信号の各制御信号を含むものであることを特徴とする請求項１から５いずれか１項記載の露光システム。
【請求項７】
回転ステージ上に載置されたディスク状記録媒体用の原盤を前記回転ステージを回転させることにより回転させつつ、該原盤に露光光を照射して前記ディスク状記録媒体の原盤パターンを描画露光する露光装置と、該露光装置に前記原盤パターンに応じた描画データ信号を送出し、該露光装置による描画動作を制御する制御装置とを備えた露光システムによる露光方法であって、
前記描画データ信号が、複数の波形パターンの組合せから構成されるものであるとき、該複数の波形パターンのうちの互いに異なる波形パターン毎に個々の波形データ列を作成すると共にそれぞれに識別符号を付与し、前記互いに異なる波形パターンを示す波形データ列を前記描画データ信号の構成順に出力するための前記波形データ列の出力順序を示す出力順データ列を作成し、
前記互いに異なる波形パターンの各波形データ列と、前記出力順データ列とをそれぞれ前記制御装置に備えられている波形データ記憶部と出力順記憶部とに記録し、
前記出力順記憶部から出力順データ列を読出すと共に、該出力順データ列が示す出力順に基づいて前記波形データ記憶部から前記波形データ列を読み出して、順次、前記露光装置に送出し、前記描画データ信号に基づく露光描画を行うことを特徴とする露光方法。
【請求項８】
前記描画データ信号が、特定の波形データが連続して繰り返される同一パターン繰返し構成部を含むものであるとき、
前記出力順データ列として、前記同一パターン繰返し構成部について、該特定の波形データに付与されている識別符号と、その繰り返し回数とを示すデータ列を作成することを特徴とする請求項７載の露光方法。
【請求項９】
前記描画データ信号が、第１の波形データに必ず第２の波形データが後続する複数パターン繰返し構成部を有するものであるとき、
前記波形パターンデータ列の作成において、前記第１の波形データに、後続する前記第２の波形データに付与されている識別符号を併せたデータ列を作成し、
前記出力順データ列として、前記複数パターン繰返し構成部について、前記第１の波形データの識別符号のみを示すデータ列を作成することを特徴とする請求項７記載の露光方法。
【発明の詳細な説明】
【技術分野】
【０００１】
本発明は、ディスク状記録媒体用のインプリントモールドや磁気転写用マスター担体などの原盤を作製する際に、所望の微細パターンを描画するための露光装置を備えたシステムおよび露光方法に関するものである。
【背景技術】
【０００２】
ディスク状記録媒体には、サーボパターン等の微細パターンが凹凸パターンまたは磁化パターンなどによって形成されている。このディスク状記録媒体を製造するための磁気転写用マスター担体やナノインプリントの原盤などに、ディスク状記録媒体に形成されるパターンに応じた原盤パターンを電子線やレーザ光による露光描画するための露光装置や露光方法が提案されている。この露光方法としては、レジストが塗布されたディスク状記録媒体用の原盤を回転ステージ上に載置し、該回転ステージを回転させることにより原盤を回転させながら、パターン形状に対応した電子ビームを照射することによってパターン描画を行う方法が知られている（例えば、特許文献１、特許文献２参照）。
【０００３】
露光装置は制御装置によって制御されて所望の描画パターン露光を行うように構成される。
パターン描画を行う場合には、制御信号として、露光光である電子線、あるいはレーザ光のオン・オフ信号、露光光の偏向信号、回転ステージの回転制御信号などがある。制御信号は描画時にフォーマッタによって生成されたり、フォーマッタあるいはフォーマッタに接続されたパーソナルコンピュータからなる制御装置のハードディスクドライブなどに予め保存されたりした描画データに基づいて電気信号としてフォーマッタから出力される。この信号のデータ量は作製する記録媒体の記録密度の向上によって、年々肥大化している。
【０００４】
例えば、高密度化により描画パターンが微細化されアナログ制御信号の元となるデジタルデータも電圧分解能１２ｂｉｔが１６ｂｉｔへ、時間分解能（周波数）５０ＭＨｚが数百ＭＨｚへとなりデータ量は数倍〜１０倍程度まで増大している。制御装置は数ＴＢｙｔｅ級の大容量を扱う必要があり、制御信号がパーソナルコンピュータのハードディスクに記憶されている場合には、原盤作製時間の長時間化を避けるため、短時間にこの大容量データをハードディスクドライブからフォーマッタへと転送する必要があり高速データ転送が要求される。また、フォーマッタで全ての描画データを記憶するためには、大容量の記憶手段が必要となる。
【先行技術文献】
【特許文献】
【０００５】
【特許文献１】特開２００４−１５８２８７号公報
【特許文献２】特開２００６−１８４９２４号公報
【発明の概要】
【発明が解決しようとする課題】
【０００６】
肥大化するデータ量に伴うデータ記憶容量の増加およびデータ転送の短時間化の要請によるデータ転送速度の高速化は、露光装置、制御装置を含む描画システムの高コスト化を引き起こすものである。システムの高コスト化は、製造する原盤の高コスト化に繋がる。
【０００７】
本発明は上記事情に鑑みてなされたものであって、高コスト化することなく、肥大化するデータ量、データ転送の高速化を実現できる露光システムおよび露光方法を提供することを目的とする。
【課題を解決するための手段】
【０００８】
本発明の露光システムは、回転ステージ上に載置されたディスク状記録媒体用の原盤を前記回転ステージを回転させることにより回転させつつ、該原盤に露光光を照射して前記ディスク状記録媒体の原盤パターンを描画露光する露光装置と、
該露光装置に前記原盤パターンに応じた、複数の波形パターンの組合せから構成される描画データ信号を送出し、該露光装置による描画動作を制御する制御装置とを備え、
前記制御装置が、前記複数の波形パターンのうち互いに異なる波形パターンを個々の波形データ列として記憶する波形データ記憶部と、前記互いに異なる波形パターンを示す波形データ列により前記描画データ信号を構成するための該波形データ列の出力順序を記憶する出力順記憶部とを個別に備え、さらに、前記波形データ記憶部に記憶されている前記互いに異なる波形データ列を、前記出力順記憶部に記憶されている前記出力順序に従って順次、前記露光装置に送出するデータ処理部を備えていることを特徴とするものである。
【０００９】
前記露光装置の前記回転ステージにロータリエンコーダが備えられており、
前記制御装置が、前記描画データ信号の出力タイミングを示すインデックス信号を前記回転ステージの回転により生じるエンコーダ信号に基づいて生成するインデック信号生成部を備え、前記出力データ記憶部が、前記出力順データ列として、前記原盤の各半径位置の周方向の所定領域毎に、先頭にインデックスが付与された該領域に含まれる波形データの出力順を示すデータ列を、該各所定領域の配列順に記憶するものであり、前記データ処理部が、前記所定領域毎に、前記描画データ信号として、前記インデックス信号による出力タイミングで、前記インデックスが付与された前記所定領域毎の出力順を示すデータ列に応じた順序で前記波形データを出力するものであることが好ましい。
【００１０】
前記波形データ記憶部を、前記異なる波形パターン毎の波形データ列に、該異なる波形パターンにそれぞれ付与された識別符号を組み合わせて記憶するものとし、
前記出力順記憶部を、前記出力順序を、前記識別符号を出力すべき順序で時系列に配列した出力順データ列として記憶するものとすることが好ましい。
ここで、識別符号は、パターン番号など個々の波形パターンを特定できるものであればよい。
【００１１】
前記描画データ信号が、特定の波形パターンが連続して繰り返される同一パターン繰返し構成部を含むものであるとき、
前記出力順記録部が、前記同一パターン繰返し構成部について、該特定の波形パターンに付与されている識別符号と、その繰り返し回数とを記憶するものであることが好ましい。
【００１２】
前記描画データ信号が、第１の波形パターンに必ず第２の波形パターンが後続する複数パターン繰返し構成部を有するものであるとき、
前記波形記憶部が、前記第１の波形パターンを示す波形データ列に、後続する前記第２の波形データに付与されている識別符号を併せて記憶するものであり、
前記出力順記憶部は、前記複数パターン繰返し構成部について、前記第１の波形パターンの識別符号のみを記憶するものであることが好ましい。
【００１３】
前記描画データ信号が、前記露光光の偏向信号と、オン・オフ信号とを含み、
前記波形パターンは、同時に出力される前記偏向信号および前記オン・オフ信号のそれぞれのパターンを含むものとすることができる。
なお、前記偏向信号としては、周方向、半径方向への信号および振動信号など複数の偏向信号を含んでいてもよい。
【００１４】
本発明の露光方法は、回転ステージ上に載置されたディスク状記録媒体用の原盤を前記回転ステージを回転させることにより回転させつつ、該原盤に露光光を照射して前記ディスク状記録媒体の原盤パターンを描画露光する露光装置と、該露光装置に前記原盤パターンに応じた描画データ信号を送出し、該露光装置による描画動作を制御する制御装置とを備えた露光システムによる露光方法であって、
前記描画データ信号が、複数の波形パターンの組合せから構成されるものであるとき、該複数の波形パターンのうちの互いに異なる波形パターン毎に個々の波形データ列を作成すると共にそれぞれに識別符号を付与し、前記互いに異なる波形パターンを示す波形データ列を前記描画データ信号の構成順に出力するための前記波形データ列の出力順序を示す出力順データ列を作成し、
前記互いに異なる波形パターンの各波形データ列と、前記出力順データ列とをそれぞれ前記制御装置に備えられている波形データ記憶部と出力順記憶部とに記録し、
前記出力順記憶部から出力順データ列を読出すと共に、該出力順データ列が示す出力順に基づいて前記波形データ記憶部から前記波形データ列を読み出して、順次、前記露光装置に送出し、前記描画データ信号に基づく露光描画を行うことを特徴とする。
【００１５】
前記描画データ信号が、特定の波形データが連続して繰り返される同一パターン繰返し構成部を含むものであるとき、
前記出力順データ列として、前記同一パターン繰返し構成部について、該特定の波形データに付与されている識別符号と、その繰り返し回数とを示すデータ列を作成することが好ましい。
【００１６】
前記描画データ信号が、第１の波形データに必ず第２の波形データが後続する複数パターン繰返し構成部を有するものであるとき、
前記波形パターンデータ列の作成において、前記第１の波形データに、後続する前記第２の波形データに付与されている識別符号を併せたデータ列を作成し、
前記出力順データ列として、前記複数パターン繰返し構成部について、前記第１の波形データの識別符号のみを示すデータ列を作成することが好ましい。
【発明の効果】
【００１７】
本発明の露光システムおよび露光方法によれば、複数の波形パターンの組合せから構成される描画データ信号を、互いに異なる波形パターンを示すデータと、その出力順序のデータとに分離して保持するので、同一波形パターンのデータを繰返し含む全描画データ信号をそのまま記憶する場合と比較してデータ量を大幅に低減することができ、データ保存用の記録媒体の容量を大幅に削減することができる。データ量を少なくすることができるので、全描画データ信号をそのまま転送する場合と比較して、同一の転送レートであっても高速な描画が可能となる。したがって、高速転送に要するコストを抑えることもできる。記録媒体の容量を抑え、転送レート高速化に要するコストを抑えることができるので、露光システムを低コストに構築することができる。露光システムの低コスト化は、原盤作製コストの抑制に繋がる。
【図面の簡単な説明】
【００１８】
【図１】本発明の第１の実施形態に係る電子線露光システムの概略構成を示すブロック図
【図２】ディスク状記録媒体用の原盤パターンを示す模式図
【図３】図２の原盤パターンの一部を拡大して示した拡大図
【図４】パターン描画を行うための各種制御信号の波形データを示す図
【図５】描画データメモリに蓄積される描画データ信号の構造を示す模式図
【図６】同じ波形が繰り返すパターンを含む描画データ信号についての各種制御信号の波形データを示す図
【図７】図６の描画データ信号を生成するためにメモリに蓄積されるデータ列の構造を示す図
【図８】規則的な繰り返しパターンを含む描画データ信号についての各種制御信号の波形データを示す図
【図９】図８の描画データ信号を生成するためにメモリに蓄積されるデータ列の構造を示す図
【発明を実施するための形態】
【００１９】
以下、本発明の実施の形態を図面を用いて詳細に説明する。
【００２０】
まず、本発明の実施形態に係る露光システムについて説明する。図１は本発明の実施形態に係る露光システム１の概略構成を示すブロック図である。
露光システム１は、回転ステージ３１上に載置されたディスク状記録媒体用の原盤８を回転ステージ３１を回転させることにより回転させつつ、原盤８に露光光として電子ビームを照射してディスク状記録媒体の原盤パターンを描画する露光装置１０と、露光装置１０に描画設計データに基づく描画データ信号（制御信号）を送出して露光装置１０による描画を制御する制御装置としてフォーマッタ５０を備えている。
また、露光装置１０およびフォーマッタ５０はそれぞれパーソナルコンピュータ（ＰＣ）４０、６０と接続されており、両コンピュータ間はイーサネット（登録商標）等により接続されている。なお、制御装置はフォーマッタのみにより構成されていてもよいし、フォーマッタとそれに接続されたＰＣとから構成されていてもよい。
【００２１】
露光装置１０は、原盤８に対して電子ビームを照射する電子ビーム照射部２０と、原盤を回転および直線移動させる機械駆動部３０とを備えている。
【００２２】
電子ビーム照射部２０は、鏡筒１８内に電子ビームを出射する電子銃２１、電子ビームを半径方向Ｙおよび円周方向Ｘへ偏向させるとともに円周方向Ｘに一定の振幅で微小往復振動させる偏向手段２２，２３、電子ビームの照射をオン・オフするためのブランキング手段２４としてアパーチャ２５およびブランキング２６（偏向器）を備えており、電子銃２１から出射された電子ビームは偏向手段２２、２３および図示しない電磁レンズ等を経て、原盤８上に照射される。
【００２３】
ブランキング手段２４における上記アパーチャ２５は、中心部に電子ビームが通過する透孔を備え、ブランキング２６は電子ビーム照射オン信号（ブランキングオフ）時には電子ビームを偏向させることなくアパーチャ２５の透孔を通過させて照射させ、一方、電子ビーム照射のオフ信号（ブランキングオン）時には電子ビームを偏向させてアパーチャ２５の透孔を通過させることなくアパーチャ２５で遮断して、電子ビームの照射を行わないように作動する。
【００２４】
機械駆動部３０は、鏡筒１８が上面に配置された筐体１９内に原盤を支持する回転ステージ３１および回転ステージを回転駆動させるスピンドルモータからなる回転駆動機構３２とを備えた回転ステージユニット３３と、回転ステージユニット３３を回転ステージ３１の一半径方向に直線移動させるための直線移動手段３４とを備えている。直線移動手段３４は、回転ステージユニット３３の一部に螺合された精密なネジきりが施されたロッド３５と、このロッド３５を正逆回転駆動させるパルスモータ３６とを備えている。また、ステージユニット３３には、回転ステージ３１の回転角度に応じたエンコーダ信号を出力する図示しないエンコーダが設置されている。エンコーダは、スピンドルモータのモータ軸に取り付けられる、多数の放射状のスリットが形成された回転板と、そのスリットを光学的に読み取り、エンコーダ信号を出力する光学素子とを備えている。
【００２５】
フォーマッタ５０は、描画データ信号群のデータ信号を制御信号として露光装置１０に順次送出するものである。制御信号は、電子ビームを偏向するための偏向信号出力、電子線の出力ＯＮ／ＯＦＦ信号（ブランキングのＯＦＦ／ＯＮ信号）、回転ステージを制御する回転基準パルス信号などからなる。
【００２６】
ＰＣ６０は、描画すべきパターン（ディスク状記録媒体の原盤パターン）に応じた描画データ信号を構成するための波形データ列と出力順データ列をハードディスク等の記録媒体に保持している。
なお、波形データ列と出力順データ列は、露光装置による描画を開始する前に、予めＰＣ６０において、描画データ信号が、複数の波形パターンの組合せから構成されるものである場合に、複数の波形パターンのうちの互いに異なる波形パターン毎に個々の波形データ列を作成すると共にそれぞれに識別符号を付与し、互いに異なる波形パターンを示す波形データ列を描画データ信号の構成順に出力するための波形データ列の出力順序を示す出力順データ列を作成するプログラムを用いて作成されたものである。
波形データ列と出力順データ列として蓄積することにより、両データ列に分離する前の描画データ信号に対して、１／１０００程度にデータ容量を低減することができる。
【００２７】
フォーマッタ５０は、波形データ列を記憶する波形データ記憶部としての第１および第２の波形データ保持メモリ５１、５２と、出力順データ列を記憶する出力順記憶部としての第１および第２の出力順保持メモリ５３、５４とを備えている。さらに、フォーマッタ５０は、描画タイミングを計るためのインデックス(INDEX)信号を生成するインデックス信号生成部５５と、メモリ５１〜５４上のデータ列から描画データ信号（制御信号）を生成し、露光装置１０に送出するデータ処理部（コントロールＩＣ）５６とを備えている。
【００２８】
フォーマッタ５０は、描画動作中に、データ処理部５６によるメモリからのデータ読み出しとＰＣ６０からのデータ書き込みとを同時に行うことが出来るように、出力順保持メモリおよび波形データ保持メモリをそれぞれ２つ備えている。
【００２９】
データ処理部５６は、第１波形データ保持メモリ５１および第１出力順保持メモリ５３上のデータ列を読み出して描画データ信号を生成しつつ、次に使用するデータ列の第２波形データ保持メモリ５２および第２出力順保持メモリ５４へのＰＣ６０からの書き込みを行う、あるいは、第２波形データ保持メモリ５２および第２出力順保持メモリ５４上のデータ列を読み出して描画データ信号を生成しつつ、第１波形データ保持メモリ５１および第１出力順保持メモリ５３に書き込みを行うものである。すなわち、第１波形データ保持メモリ５１および第１出力順保持メモリ５３と、第２波形データ保持メモリ５２および第２出力順保持メモリ５４とが、交互に読出しメモリと書き込みメモリとして使用され、順次読出しと書き込みを繰り返すことにより途切れることなく描画データ信号の出力を行うことができる。なお、出力順保持メモリおよび波形データ保持メモリは３以上であってもよい。
【００３０】
データ処理部５６による制御信号の出力タイミングは、インデックス信号生成部５５からのインデックス信号によって制御される。
【００３１】
インデックス信号生成部５５において、インデックス信号は、回転ステージユニット３３に備えられているエンコーダの出力（Ａ／Ｂ／Ｚ相信号）および制御部内部で生成される描画クロックから生成される。例えば、各所定領域の直前に生じるエンコーダ信号を基準とし、そのエンコーダ信号から所定クロック数後にインデックス信号が生じるように設定されている。
【００３２】
データ処理部５６は、出力順保持メモリ５３に記録されている出力順に基づいて、波形データ保持メモリ５１に記録されている波形データ列を読み出して描画データ信号を生成すると共に、該描画データ信号をインデックス信号に基づいて露光装置へと出力する。
【００３３】
図２は、ディスク状記録媒体の原盤パターン（描画パターン）と描画開始インデックスとの関係を模式的に示す図であり、図３はその原盤パターンの一部を拡大した模式図である。ここでは、ディスク状記録媒体として、ディスクリートトラックメディアの原盤パターンを示している。図２および図３に示すように、原盤パターンは、周方向にサーボ領域Ｓ、データ領域Ｄが交互に配置された構成を有している。サーボ領域Ｓは、同心円中心部からほぼ放射方向に延びる細幅の領域である。一般には、サーボ領域は半径方向に延びる円弧状に形成されているが、ここでは模式的に直線状に示している。サーボ領域Ｓには、プレアンブル、アドレス、サーボ等の微細パターン（微細パターンは図示していない。）が設けられており、データ領域Ｄには、トラックＴ間を分離するグルーブパターンＧが設けられている。本実施形態においては、１つのサーボ領域とそれに隣接する１つのデータ領域からなる１セクタを所定領域として、この所定領域毎にインデックス信号を基準に描画を開始するものとしている。
【００３４】
図４は、サーボ領域Ｓに描画される微細パターン１２の一部と該微細パターンを描画するための各種制御信号の波形データを模式的に示すものである。詳細には、図４（Ａ)は描画すべきパターンおよび電子ビームＥＢの半径方向Ｙ（外周方向）および周方向Ｘ（回転方向）の描画動作を模式的に示し、(Ｂ)は半径方向Ｙの偏向信号を、(Ｃ)は周方向Ｘの偏向信号を、(Ｄ)は周方向Ｘの振動信号を、(Ｅ)にＥＢ照射のオン・オフ動作を示している。
図４（Ａ）に示すように、微細パターンは１描画単位であるエレメント１３ａ〜１３ｆから構成されており、パターン露光は、レジストが塗布された原盤を一方向Ａに回転させつつ、個々のエレメントをその形状を塗りつぶすように微小径の電子ビームＥＢで走査して、１回転で１トラック分の微細パターンを描画することによりなされる。
【００３５】
各エレメントを塗りつぶす電子ビームＥＢの走査は、電子ビームＥＢの照射のオン・オフをブランキング手段２４の動作により制御しつつ、サーボエレメントの最小トラック方向長さより小さいビーム径の電子ビームＥＢを、半径方向Ｙおよび半径方向と直交する方向（以下周方向Ｘ）へＸ−Ｙ偏向させて、原盤８（回転ステージ３１）の回転速度に応じて、半径方向Ｙと直交する方向Ｘへ一定の振幅で高速に往復振動させて振らせることにより行う。
【００３６】
すなわち、１トラック上の微細パターンを描画する際には、図４に示すように少なくとも（Ｂ）ＥＢの半径方向Ｙの偏向信号、(Ｃ)ＥＢの周方向Ｘの偏向信号、(Ｄ)に周方向Ｘの振動信号、(Ｅ)にＥＢ照射のオン・オフ信号により露光装置を制御している。
【００３７】
記録メディア用の原盤パターン（微細パターン）には規則性があり、その描画パターン信号は複数の波形パターンの組合せから構成される。したがって、フォーマッタ５０からは繰り返し同じ制御信号が出力されることが多い。例えば、図４に示した例では、エレメント１３ａ、１３ｂは、二点差線で囲まれた制御信号の組み合わせからなるパターンＮｏ．１の波形パターンの繰り返しで描画され、同様にエレメント１３ｃ、１３ｄはパターンＮｏ．２の波形パターン、エレメント１３ｅ、１３ｆはパターンＮｏ．３の波形パターンの繰り返しにより描画される。ここで、パターンＮｏ．は、個々の波形パターンを識別するための識別符号である。
【００３８】
図５に、波形データ保持メモリ５１、出力順保持メモリ５３に蓄積されるデータ列およびこれらからデータ処理部５６において生成される描画データ信号の構造を模式的に示す。
図５に示すように、図４に示す描画パターンの場合、パターンＮｏ．１，Ｎｏ．２、Ｎｏ．３・・・の波形データを波形データ保持メモリ５１に記憶しておき、その出力順序の情報を出力順保持メモリ５３に記憶しておく。
【００３９】
波形データ保持メモリ５１には、互いに異なる波形パターンを示す波形データ列がそれぞれ各波形パターンを識別するための識別符号としてのパターンＮｏ．と共に記録され、出力順保持メモリ５３には、１セクタ毎にパターンＮｏ．が出力順に配列されてなるデータ列がインデックスフラグＩを先頭に蓄積される。第１波形データ保持メモリ５１と第１出力順保持メモリ５３には、対応する複数セクタ分のデータが同時に蓄積されており、データ処理部５６によるメモリ５１、５３からのデータの読み出しがなされている間に、次のセクタから複数セクタ分のデータが第２波形データ保持メモリ５２、第２出力順保持メモリ５４に蓄積される。
【００４０】
データ処理部５６は制御回路から構成されるものであり、出力順保持メモリ５３に蓄積されている順序に応じて波形データ保持メモリ５１に蓄積されている波形データを読み出して、１セクタ分のデータ列がインデックスフラグＩを先頭に、出力データ１、出力データ２・・・と配列された描画データ信号（制御信号）を生成し、インデックス信号生成部５５からインデックス信号が入力されると、所定のインデックスフラグが付されている１セクタ分の描画データ信号を露光装置１０に送出し、次のインデックス信号が入力されると、次のインデックスフラグが付されている１セクタ分の描画データ信号を露光装置１０に送出するよう構成されている。
【００４１】
ここで、インデックスフラグＩをセクタ単位で設定するものとしているが、インデックスフラグはトラック単位で設定してもよいし、１セクタよりも細かく設定してもよい。
【００４２】
なお、メモリ５１〜５４およびデータ処理部において、波形データ列、出力順データ列等の情報はデジタル信号であり、フォーマッタ５０から露光装置１０へ出力される際にＤ／Ａコンバータによりアナログ信号に変換される。
【００４３】
また、露光装置を制御するための制御信号としては、１トラック中のエレメント描画動作を制御するための露光光の高速偏向、振動および照射のオン・オフ信号の他、回転ステージを制御する回転基準パルス信号や、描画位置のトラック移動を行うための、エレメント描画時のＹ偏向と比較して低速なＹ偏向信号などがある。これらは、エレメント描画時の高速信号に比べて発生頻度が格段に少ないため、波形データ保持メモリに記録されるパターンとは別に時系列で記憶される。別途のメモリが設けられていてもよいし、時系列である点で同種の出力順データ列と共に出力順保持メモリに記録するようにしておいてもよい。
【００４４】
メモリに蓄積させるデータ量を削減するための波形データと出力順データの蓄積方法の例を図６〜図９を参照して説明する。
【００４５】
図６に示すように、描画データ信号Ｓ１が特定の波形パターン（ここでは、パターンＮｏ．１）が連続して繰り返される同一パターン繰返し構成部を含んでいる場合、図７に示すように、同一パターン繰返し構成部描画のためには、波形データ保持メモリ５１にその所定のパターンＮｏ．１の波形データを記録すると共に、出力順保持メモリ５３にはパターンＮｏと繰り返し回数ｎを記録する。これにより、ｎ回分パターンＮｏを記録するよりもメモリ容量を削減することができる。
【００４６】
また、図８に示すように、描画データ信号Ｓ２がパターンＮｏ．１の後は必ずパターンＮｏ．２が発生するなど決まった複数のパターンが繰り返される複数パターン繰返し構造部を含んでいる場合、図９に示すように、複数パターン繰返し構成部描画のためには、波形データ保持メモリ５１にパターンＮｏ．１の波形データ列と共に後続するパターンの番号（Ｎｏ．２）を、パターンＮｏ．２の波形データと共に後続するパターンの番号（Ｎｏ．３）を記録しておき、出力順保持メモリ５３には、出力順として先端のパターン番号のみを記録する。具体的には、図９のように出力順保持メモリ５３に、Ｎｏ．１，Ｎｏ．４・・との出力順が記録されていれば、データ処理部５６から波形データがＮｏ．１，Ｎｏ．２、Ｎｏ．３、Ｎｏ．４・・の順で出力させることができる。これにより、出力保持メモリのメモリ容量を削減することができる。
【００４７】
以下に、図４に示すパターン描画方法を簡単に説明する。
まず、ａ点で(Ｅ)のＥＢ照射信号のオンにより電子ビームＥＢを照射し、サーボエレメント１３ａの描画を開始するものであり、基準位置にある電子ビームＥＢを(Ｄ)の振動信号により周方向Ｘに往復振動させつつ、(Ｂ)のＹ偏向信号により半径方向（−Ｙ）に偏向させて送るとともに、Ａ方向への原盤８の回転に伴う電子ビームＥＢの照射位置のずれを補償するために、(Ｃ)のＸ偏向信号によりＡ方向と同方向の周方向Ｘに偏向させて送ることにより、矩形状のサーボエレメント１３ａを塗りつぶすように走査し、ｂ点でのＥＢ照射信号のオフにより電子ビームＥＢの照射を停止し、サーボエレメント１３ａの描画を終了する。ｂ点後に、半径方向Ｙおよび周方向Ｘの偏向を基準位置に戻す。
次に、原盤８が回転してｃ点になると、同様にして次のサーボエレメント１３ｂの描画を開始し、同様の偏向信号に基づいて同様に描画し、ｄ点でサーボエレメント１３ｂの描画を終了する。
【００４８】
続いて、ｅ点で(Ｂ)のＹ偏向信号を半トラック分だけ半径方向（−Ｙ）に基準位置を移動させ、その基準位置より前述と同様に、電子ビームＥＢを(Ｄ)の振動信号により周方向Ｘに往復振動させつつ、(Ｂ)のＹ偏向信号により半径方向（−Ｙ）に偏向させて送るとともに、(Ｃ)のＸ偏向信号によりＡ方向と同方向の周方向Ｘに偏向させて送ることにより、矩形状のサーボエレメント１３ｃを塗りつぶすように走査し、ｆ点でのＥＢ照射信号のオフにより電子ビームＥＢの照射を停止し、サーボエレメント１３ｃの描画を終了する。ｆ点後に、半径方向Ｙおよび周方向Ｘの偏向をそれぞれの基準位置に戻す。
次に、原盤８が回転してｇ点になると、同様にして次のサーボエレメント１３ｄの描画を開始し、同様の偏向信号に基づいて同様に描画し、ｈ点でサーボエレメント１３ｄの描画を終了する。
【００４９】
さらに、原盤８が回転してｈ点でＥＢ照射信号をオンとして電子ビームＥＢの照射を開始して(Ｂ)のＹ偏向信号により半径方向（−Ｙ）に偏向させて送るとともに、Ａ方向への原盤８の回転に伴う電子ビームＥＢの照射位置のずれを一部補償するために、(Ｃ)の偏向信号によりＡ方向と同方向の周方向Ｘに偏向させて送ることにより、平行四辺形状のサーボエレメント１３ｅを塗りつぶすように走査し、ｉ点でのＥＢ照射信号のオフにより電子ビームＥＢの照射を停止し、サーボエレメント１３ｅの描画を終了する。ｊ点後に、半径方向Ｙおよび周方向Ｘの偏向を基準位置に戻す。
次に、原盤８が回転してｋ点になると、同様にして次のサーボエレメント１３ｆの描画を開始し、同様の偏向信号に基づいて同様に描画し、ｌ点でサーボエレメント１３ｆの描画を終了する。
【００５０】
１つのトラックを１周描画した後、次のトラックに移動し同様に描画して、原盤８の全領域に所望の微細パターン１２を描画する。この電子ビームＥＢの描画位置のトラック移動（径方向Ｙへの移動）は、電子ビームＥＢを半径方向Ｙに偏向させて行うか、あるいは回転ステージ３１を半径方向Ｙに直線移動させて行う。なお、電子ビームＥＢの描画位置は、偏向手段により径方向へ移動させる方が効率的であることから、偏向手段による径方向への移動が可能な範囲では偏向させることによりトラック移動を行って複数トラック描画させた後に、ビームの偏向手段による径方向への偏向を一旦解除すると共に、直線移動手段３４を用いて回転ステージを複数トラック分程度半径方向に移動させるのが好ましい。
【符号の説明】
【００５１】
１    露光システム
８    ディスク状記録媒体用の原盤
１０    露光装置
１８、１９  筐体
２０    電子線露光部
２１    電子銃
２２、２３    偏向手段
２４    ブランキング手段
２５    アパーチャ
２６    ブランキング
３０    機械駆動部
３１    回転ステージ
３２    回転駆動機構
３３    回転ステージユニット
３４    直線移動手段
４０，６０    ＰＣ
５０    フォーマッタ（制御装置）
５１，５２    波形データ保持メモリ（波形データ記憶部）
５３，５４    出力順保持メモリ（出力順記憶部）
５５    インデックス信号生成部
５６    データ処理部
Ｓ    サーボ領域
Ｄ    データ領域
Ｇ    グルーブ
【図１】
2013080544.tif 000003
【図２】
2013080544.tif 000004
【図３】
2013080544.tif 000005
【図４】
2013080544.tif 000006
【図６】
2013080544.tif 000007
【図７】
2013080544.tif 000008
【図８】
2013080544.tif 000009
【図９】
2013080544.tif 000010
【図５】
2013080544.tif 000011